(57)【特許請求の範囲】
【請求項１】
シート原稿読み取り用の光学系の上方に原稿読取ガラスを配し、該原稿読取ガラスの上方に上部ガイド板を配してなるシート原稿読取装置において、上記原稿読取ガラスを、上記光学系による読取部においては読取ピント面より低く、上記シート原稿の搬送方向下流側においては上記読取ピント面より高くなるように傾斜させ、上記上部ガイド板の読取部を上記読取ピント面の高さに配してなることを特徴とするシート原稿読取装置。
【請求項２】
上記シート原稿の搬送方向上流側に上記原稿読取ガラス面上から機外へのゴミ排出用の隙間を設けたことを特徴とする請求項１のシート原稿読取装置。
【請求項３】
上記シート原稿の搬送方向上流側で上記原稿読取ガラス面上に隙間を形成するとともに、該隙間から搬送方向下流側に向かう気流を作り出す手段を備えてなることを特徴とする請求項１のシート原稿読取装置。
【発明の詳細な説明】
【０００１】
【発明の属する技術分野】
本発明は、複写機、ファクシミリ、イメージスキャナ等のシート原稿読取装置に関する。
【０００２】
【従来の技術及び発明が解決しようとする課題】
図１、図２に従来のシート原稿読取装置の構成を示す。原稿１は呼び出しローラー２により呼び出され、搬送ローラー３・・・により上部ガイド板４と搬送入口ガイド板５、原稿読取ガラス６、搬送出口ガイド板７の間を通過して排出される。原稿１が原稿読取ガラス６を通過しているときに、照明ランプ８による反射光が反射ミラー９により折り返され、レンズ１０で読み取ってセンサ１１に結像させて画像を得る。
【０００３】
このようなシート原稿読取装置では、原稿読取ガラス６の汚れに起因して異常画像が生じ易いという構造的な問題がある。例えば原稿面の乾ききっていないインク等や、原稿面に付着している小さなゴミや汚れ等を有する原稿が原稿読取ガラス６上を通過する時に、原稿読取ガラス６の表面に触れることにより、インク、汚れ、ゴミ等がガラス表面に移ってしまう。従来は原稿読取ガラス６の表面をピント面としていて、原稿１は移動しているが原稿読取ガラス６は静止しているので、読取部１５に対応するガラス面に汚れやゴミが付着すると、これを連続して読み取ってしまうため、原稿送り方向のスジ画像となってしまうことがある。
【０００４】
そこで本発明は、原稿表面が原稿読取ガラスの読取部分に触れないようにして、原稿の汚れ、ゴミ等が原稿読取ガラスに付着せず、読取画像に汚れによるスジが発生しないシート原稿読取装置を提供することを目的とする。
【０００５】
【課題を解決するための手段】
本発明のシート原稿読取装置のうち請求項１に係るものは、上記目的を達成するために、シート原稿読み取り用の光学系の上方に原稿読取ガラスを配し、該原稿読取ガラスの上方に上部ガイド板を配してなるシート原稿読取装置において、上記原稿読取ガラスを、上記光学系による読取部においては読取ピント面より低く、上記シート原稿の搬送方向下流側においては上記読取ピント面より高くなるように傾斜させ、上記上部ガイド板の読取部を上記読取ピント面の高さに配してなることを特徴とする。
【０００６】
同請求項２に係るものは、上記シート原稿の搬送方向上流側に上記原稿読取ガラス面上から機外へのゴミ排出用の隙間を設けたことを特徴とする。
【０００７】
同請求項３に係るものは、上記シート原稿の搬送方向上流側で上記原稿読取ガラス面上に隙間を形成するとともに、該隙間から搬送方向下流側に向かう気流を作り出す手段を備えてなることを特徴とする。
【０００８】
【発明の実施の形態】
以下本発明の実施の形態を図面を参照して説明する。なお以下の説明では、従来と共通する部分には共通する符号を付して説明する。
図３は本発明に係るシート原稿読取装置の第１の実施形態を示す図２相当の断面図である。本実施形態装置は、原稿１が進入してきたときに読取部１５で原稿読取ガラス６の表面に原稿１が触れないようにするとともに、原稿１を斜め上方へ排出するためのガイドを兼ねるようにしている。そのため、原稿読取ガラス６を傾けて搬送入口ガイド板５側を下げ、原稿読取ガラス６の表面を、読取部１５においては読取ピント面より低く、搬送出口ガイド板７側では読取ピント面より高くなるように傾斜させ、ピント面を上部ガイド板４の下面としている。
【０００９】
図４は本発明に係るシート原稿読取装置の第２の実施形態を示す図２相当の断面図である。本実施形態装置は、長期の使用の間に傾けた原稿読取ガラス６の上面の図中左側下部にゴミが大量に溜まってしまい、このゴミが原稿１の移動によって読取部１５に運ばれて画像として写ってしまうことが有り得る点を考慮したもので、搬送入口ガイド板５と原稿読取ガラス６の間に隙間１６を設け、ゴミ１２を図中左側へ移動させて隙間１６から排出できるように構成したものである。ゴミ１２は原稿読取ガラス６面上を重力により図中左側へ滑り落ち、隙間１６から機外へ出ていく。なお搬送入口ガイド板５を着脱可能でかつポケット状のものにして、溜まったゴミ１２を定期的に清掃、除去できるようにしてもよい。
【００１０】
図５は本発明に係るシート原稿読取装置の第３の実施形態を示す図２相当の断面図である。本実施形態装置は、第２実施形態においてはゴミ１２を重力によって下方に集めて排出するる構成であったことに代えて、ファン１３を設け、隙間１６から空気を吹き出させて気流１４を作りだし、ゴミ１２を原稿排出側、即ち搬送出口ガイド板７側へ吹き飛ばすようにしたものである。この実施形態は、構成は複雑になるが、ゴミ１２を除去する清掃作業が不要になる。また、ファン１３が作り出す気流１４により、進入してきた原稿１が上部ガイド板４に押し付けられるのでピントが安定し、原稿読取ガラス６に原稿１が確実に触れなくなる。
【００１１】
【発明の効果】
請求項１に係るシート原稿読取装置は、以上説明してきたように、原稿読取ガラスを、光学系による読取部においては読取ピント面より低くなるように傾斜させ、上部ガイド板の読取部を読取ピント面の高さに配してなるので、原稿表面が原稿読取ガラスの読取部分に触れなくなり、原稿面の乾ききっていないインク等の原稿の汚れや、ゴミ等が原稿読取ガラスのガラス面に付着せず、読取画像に汚れによるスジが発生しなくなるという効果がある。
【００１２】
請求項２に係るシート原稿読取装置は、以上説明してきたように、原稿読取ガラスの上面に機外へのゴミ排出用の隙間を設けたので、上記共通の効果に加え、傾斜させた原稿読取ガラスの下方側にゴミが重力により落下していき、読取部付近にはゴミがたまらず、従って読取部にゴミが巻き込まれなくなるという効果がある。
【００１３】
請求項３に係るシート原稿読取装置は、以上説明してきたように、原稿読取ガラス面上に隙間を形成するとともに、この隙間から搬送方向下流側に向かう気流を作り出す手段を有するようにしたので、上記共通の効果に加え、この手段が作り出す搬送出口ガイド板側へ向かう気流によってゴミ等が原稿読取ガラスから吹き飛ばされ、読取部付近にはゴミがたまらず、ゴミを除去する清掃作業が不要になるだけでなく、気流によって原稿がピント面である上部ガイド板に寄せられ、ピントの安定した画像が得られるようになるという効果がある。
【図面の簡単な説明】
【図１】従来のシート原稿読取装置の構成を示す断面図である。
【図２】図１の装置の要部拡大断面図である。
【図３】本発明に係るシート原稿読取装置の第１の実施形態を示す図２相当の断面図である。
【図４】本発明に係るシート原稿読取装置の第２の実施形態を示す図２相当の断面図である。
【図５】本発明に係るシート原稿読取装置の第３の実施形態を示す図２相当の断面図である。
【符号の説明】
１  原稿
２  呼び出しローラー
３  搬送ローラー
４  上部ガイド板
５  搬送入口ガイド板
６  原稿読取ガラス
７  搬送出口ガイド板
８  照明ランプ
９  反射ミラー
１０  レンズ
１１  センサ
１２  ゴミ
１３  ファン
１４  気流
１５  読取部
１６  隙間
【図１】
0003571892.tif 000002
【図２】
0003571892.tif 000003
【図３】
0003571892.tif 000004
【図４】
0003571892.tif 000005
【図５】
0003571892.tif 000006